(57)【要約】【課題】線材が挿通されるグロメットの一方側と他方側とがスリットにおける隙間で連通するおそれを回避し、防水機能及び防塵機能を十分に発揮することができるグロメットを提供する。【解決手段】グロメット１は、線材としてのケーブル４０が挿通されるものであり、第１グロメット部１０と第１グロメット部１０に重ね合わされる第２グロメット部２０とからなる。第１グロメット部１０は、ケーブル４０が挿通される第１貫通孔１３と、第１貫通孔１３から外周面に達するように形成された第１スリット１４とを有する。第２グロメット部２０は、ケーブル４０が挿通される第２貫通孔２２と、第２貫通孔２２から外周面に達するように形成された第２スリット２３とを有する。第１スリット１４及び第２スリット２３は、第１グロメット部１０と第２グロメット部２０を接続した状態で、ケーブル４０の挿通方向から見て重なり合わない。【選択図】図１
2018107093.tif 000002
【特許請求の範囲】
【請求項１】
線材が挿通されるグロメットであって、
前記グロメット部は、第１グロメット部と、該第１グロメット部に重ね合わされる第２グロメット部からなり、
前記第１グロメット部は、前記線材が挿通される第１貫通孔と、該第１貫通孔から外周面に達するように形成された第１スリットとを有し、
前記第２グロメット部は、前記線材が挿通される第２貫通孔と、該第２貫通孔から外周面に達するように形成された第２スリットとを有し、
前記第１グロメット部と前記第２グロメット部を接続した状態で、前記第１スリットと前記第２スリットは、前記線材の挿通方向から見て重なり合わないことを特徴とするグロメット。
【請求項２】
前記第１グロメット部と前記第２グロメット部を接続した状態のとき、前記第１スリットと前記第２スリットの成す角が１８０°となることを特徴とする請求項１に記載のグロメット。
【請求項３】
前記第１グロメット部と前記第２グロメット部のいずれか一方に設けられたボスと、他方に設けられた嵌合穴との嵌合により、前記第１グロメット部と前記第２グロメットが接続されることを特徴とする請求項１又は２に記載のグロメット。
【発明の詳細な説明】
【技術分野】
【０００１】
本発明は、線材が挿通されるグロメットに関する。
【背景技術】
【０００２】
従来のこの種のグロメットとして、例えば、特許文献１に示すものが知られている。
【０００３】
特許文献１に示すグロメットは、複数の線材と隔壁との間に生じる隙間を塞いで、防水、防塵、防音などの役割を果たすものである。そして、このグロメットは、本体部と、本体部に形成されて複数の線材がそれぞれ貫通する複数の貫通孔と、本体部の外周面に形成されて隔壁に係合する係合部とを備えている。そして、本体部は、外周面から複数の貫通孔のそれぞれにまで達する複数のスリットを形成すると共に、隣り合うスリット間に位置する係合部と隔壁とを係合させやすくする易係合手段を有している。
【０００４】
各線材を各貫通孔内に挿通する際は、各スリットを広げ、広げられたスリットを通し、各線材を各貫通孔内に導入する。スリットがあることにより、線材の端部にグロメットの貫通孔を差し込み、その後グロメットを所定の箇所まで移動させるといった作業を行う必要がなくなり、作業性が向上する。
【先行技術文献】
【特許文献】
【０００５】
【特許文献１】特開２００９−９３９０３号公報
【発明の概要】
【発明が解決しようとする課題】
【０００６】
しかしながら、この従来の特許文献１に示したグロメットにあっては、以下の問題点があった。
【０００７】
グロメットの本体部に形成された各スリットの隙間は完全にはなくならない。このため、上記グロメットには防水機能や防塵機能が十分あるとまでは言えなかった。
【０００８】
本発明はこの従来の問題点を解決するためになされたものであり、作業性の向上が見込めるスリットは確保したままで、防水機能及び防塵機能を十分に発揮することができるグロメットを提供することにある。
【課題を解決するための手段】
【０００９】
上記目的を達成するために、本発明の一態様に係るグロメットは、線材が挿通されるグロメットであって、前記グロメット部は、第１グロメット部と、該第１グロメット部に重ね合わされる第２グロメット部からなり、前記第１グロメット部は、前記線材が挿通される第１貫通孔と、該第１貫通孔から外周面に達するように形成された第１スリットとを有し、前記第２グロメット部は、前記線材が挿通される第２貫通孔と、該第２貫通孔から外周面に達するように形成された第２スリットとを有し、前記第１グロメット部と前記第２グロメット部を接続した状態で、前記第１スリットと前記第２スリットは、前記線材の挿通方向から見て重なり合わないことを特徴とする。
【発明の効果】
【００１０】
本発明に係るグロメットによれば、第１グロメット部と第２グロメット部を接続した状態で、第１スリットと第２スリットは、線材の挿通方向から見て重なり合わない。このため、第１グロメット部の第１スリットの隙間を通過した水滴等は第２グロメット部に阻まれるため、または第２グロメット部の第２スリットの隙間を通過した水滴等は第１グロメット部に阻まれるため、グロメットを通過することができない。これにより、グロメットの防水機能及び防塵機能を十分に発揮することができるグロメットを提供できる。更に、第１グロメット部、第２グロメット部はそれぞれにスリットを有しているため、上述の作業性の向上を損なうこともない。
【図面の簡単な説明】
【００１１】
【図１】本発明の一実施形態に係るグロメットによって隔壁の開口部に挿通されるケーブルを隔壁に支持している様子を示す断面図である。
【図２】図１に示すグロメットを示し、（Ａ）は平面図、（Ｂ）は（Ａ）を左側から見た側面図である。
【図３】図１及び図２に示すグロメットを構成する第２グロメット部を示し、（Ａ）は平面図、（Ｂ）は正面図、（Ｃ）は右側面図である。
【図４】図１及び図２に示すグロメットを構成する第１グロメット部を示し、（Ａ）は平面図、（Ｂ）は正面図、（Ｃ）は右側面図である。
【図５】図１及び図２に示すグロメットの変形例を示し、（Ａ）は一対の第１ボスの傾斜状態を示す図、（Ｂ）は一対の第２ボスの傾斜状態を示す図である。
【図６】図１及び図２に示すグロメットによって隔壁の開口部に挿通されるケーブルを隔壁に支持する方法を説明するための断面図である。
【発明を実施するための形態】
【００１２】
以下、本発明の実施形態について図面を参照して説明する。
図１に示す本発明の一実施形態に係るグロメット１は、線材としてのケーブル４０を挿通しつつ、隔壁３０の開口部３１を閉塞する。ここで、ケーブル４０は、複数の電線４１の束を被覆してなり、ケーブル４０の一端側（隔壁３０の一方側である外部側）には第１コネクタ４２が接続され、ケーブル４０の他端側（隔壁３０の他方側である内部側）には第２コネクタ４３が接続されている。第１コネクタ４２は、例えば、車載カメラに設けられる回路基板上に実装されたコネクタに接続され、第２コネクタ４３は、例えば、カーナビゲーション側の回路基板に接続される。
このグロメット１は、隔壁３０の例えば円形の開口部３１に嵌め込まれることでケーブル４０と隔壁３０との間に生じる隙間を塞いで、隔壁３０の一方側である外部側から隔壁の他方側である内部側への水滴等の侵入を防ぐ防水機能及び防塵機能を果たす。
【００１３】
グロメット１は、図１及び図２（Ａ），（Ｂ）に示すように、第１グロメット部１０と第１グロメット部１０に重ね合わせる様に接続される第２グロメット部２０と備えている。 ここで、第１グロメット部１０は、図１乃至図３（Ａ），（Ｂ），（Ｃ）に示すように、第１本体部１１と、第１本体部１１に突出形成された閉塞部１２とを備え、ゴム材料（例えばエチレンプロピレンゴム）により一体に形成される。第１本体部１１は、隔壁３０の開口部３１よりも直径の大きな円板状に形成されている。閉塞部１２も円板状に形成され、第１本体部１１の円形の表面から第１本体部１１と中心軸が同じで、本体部１１の円形の表面から突出するように形成される。閉塞部１２は、直径が第１本体部１１よりも小さくかつ隔壁３０の開口部３１と等しいか又は開口部３１に嵌め込み可能な範囲で大きい円板状に形成され、開口部３１に嵌め込まれ開口部３１を閉塞する。
【００１４】
そして、第１本体部１１及び閉塞部１２の中央には、第１貫通孔１３が形成されている。第１貫通孔１３は、線材としてのケーブル４０が挿通可能な直径を有する丸孔である。また、グロメット１は第１貫通孔１３から閉塞部１２の外周面１７を通過し、第１本体部１１の外周面１８まで達する直線状の第１スリット１４を有している。この第１スリット１４は、ケーブル４０を第１貫通孔１３内に挿通する際に、第１スリット１４を広げ、この広げられた第１スリット１４を介して第１本体部１１の外周面１７側から第１貫通孔１３内にケーブル４０を挿入し、そして広げられた第１スリット１４を閉じることでケーブル４０を第１貫通孔１３内に挿通させるものである。
【００１５】
また、第２グロメット部２０は、図１、図２及び図４（Ａ），（Ｂ），（Ｃ）に示すように、直径は第２グロメット２０を開口部３１に押し当てたときに開口部３１を通過できない程度に大きく第１グロメット部１０の第１本体部１１よりも小さい円板状に形成された第２本体部２１を備え、ゴム材料（例えばエチレンプロピレンゴム）により形成される。
【００１６】
そして、円板形状をした第２グロメット２０の中央には、第２貫通孔２２が形成されている。第２貫通孔２２は、線材としてのケーブル４０が挿通可能な直径を有する丸孔である。また、第２貫通孔２２から、第２本体部２１の外周面２６まで達する直線状の第２スリット２３が形成されている。この第２スリット２３は、ケーブル４０を第２貫通孔２２内に挿通する際に、第２スリット２３を広げ、この広げられた第２スリット２３を介して第２本体部２１の外周面２６側から第２貫通孔２２内にケーブル４０を挿入し、そして広げられた第２スリット２３を閉じることでケーブル４０を第２貫通孔２２内に挿通させるものである。
ここで、第１グロメット部１０に形成された第１スリット１４と第２グロメット部２０に形成された第２スリット２３とは、第１グロメット部１０及び第２グロメット部２０を接続した状態で、ケーブル４０の挿通方向から見て重なり合わない位置に配置される。例えば第１グロメット部１０及び第２グロメット部２０を接続した状態のとき、ケーブル４０の挿通方向から見た場合、第１スリット１４と第２スリット２３との成す角を１８０°となるようにする。
【００１７】
そして、第１グロメット部１０及び第２グロメット部２０を接続するために、第１グロメット部１０には、図３（Ａ）、（Ｂ），（Ｃ）に示すように、第１スリット１４を挟む位置に一対の第１ボス１５が形成され、第２グロメット部２０には、図４（Ａ），（Ｂ），（Ｃ）に示すように、一対の第１ボス１５が嵌合する一対の第１嵌合穴２５が形成されている。第１グロメット部１０と第２グロメット２０を接続するときには、一対の第１ボス１５を一対の第１嵌合穴２５に嵌合させる。また、第２グロメット部２０には、図４（Ａ），（Ｂ），（Ｃ）に示すように、第２スリット２３を挟む位置に一対の第２ボス２４が形成され、第１グロメット部１０には、図３（Ａ），（Ｂ），（Ｃ）に示すように、一対の第２ボス２４が嵌合する一対の第２嵌合穴１６が形成されている。第１グロメット部１０と第２グロメット２０を接続するときには、一対の第２ボス２４を一対の第２嵌合穴１６に嵌合させる。
【００１８】
一対の第１ボス１５、一対の第１嵌合穴２５、一対の第２ボス２４、及び一対の第２嵌合穴１６の具体的な配置について述べると、一対の第１ボス１５は、図３（Ａ），（Ｂ），（Ｃ）に示すように、第１スリット１４を挟む両側に設けられている。各第１ボス１５は、閉塞部１２の円板状の表面から突出するように延びる円柱状に形成される。
【００１９】
また、一対の第１嵌合穴２５は、図４（Ａ），（Ｂ），（Ｃ）に示すように、第２貫通孔２２の中心点Ｃ２を基準として、第２ボス２４と点対称の位置にそれぞれ設けられている。各第１嵌合穴２５は、各第１ボス１５が嵌合する丸孔で形成され、第２本体部２１を貫通している。各第１ボス１５は、図１及び図２（Ｂ）に示すように、各第１嵌合穴２５に嵌合する。また、各第１ボス１５の先端には、第１嵌合穴２５より直径が大きく、ケーブル４０の挿通方向を基準に９０度の方向から見て台形形状の抜け止め部１５ａが設けられている。
【００２０】
また、一対の第２ボス２４は、図４（Ａ），（Ｂ），（Ｃ）に示すように、第２スリット２３を挟む両側に設けられている。各第２ボス２４は、第２本体部２１の表面から突出するように延びる円柱状に形成される。
また、一対の第２嵌合穴１６は、図３（Ａ），（Ｂ），（Ｃ）に示すように、第１貫通孔１３の中心点Ｃ１を基準として、第１ボス１５と点対称の位置にそれぞれ設けられている。各第２嵌合穴１６は、各第２ボス２４が嵌合する丸孔で形成され、第１本体部１１及び閉塞部１２を貫通している。各第２ボス２４は、図１及び図２（Ｂ）に示すように、各第２嵌合穴１６に嵌合する。また、各第２ボス２４の先端には、第２嵌合穴１６より直径が大きく、ケーブル４０の挿通方向を基準に９０度の方向から見て台形形状の抜け止め部２４ａが設けられている。
【００２１】
ここで、各第１ボス１５は、第１グロメット部１０を構成する第１本体部１１及び閉塞部１２、及び第２グロメット部２０を構成する第２本体部２１の材質であるゴム材料よりも硬質の例えばプラスチック材で構成されてもよい。その場合、第１グロメット部１０をゴム材料で成形する際に二色成形（異材質成形）によって成形される。なお、各第１ボス１５は、第１グロメット部１０をゴム材料で成形した後に、閉塞部１２に嵌め込むようにしてもよい。また、硬化後の硬度の異なるゴム材料同士を一体成形する異硬度一体成形により、各第１ボス１５が他部よりも硬いゴム材料で形成されるようにしてもよい。
また、各第２ボス２４も、第２グロメット部２０を構成する第２本体部２１及び第１グロメット部１０を構成する第１本体部１１、閉塞部１２の材質であるゴム材料よりも硬質の例えばプラスチック材で構成されてもよい。その場合、第２グロメット部２０をゴム材料で成形する際に二色成形（異材質成形）によって第２グロメット部２０に固定される。なお、各第２ボス２４は、第２グロメット部２０をゴム材料で成形した後に、第２本体部２１に嵌め込むようにしてもよい。また、硬化後の硬度の異なるゴム材料同士を一体成形する異硬度一体成形により、各第２ボス２４が他部よりも硬いゴム材料で形成されるようにしてもよい。
【００２２】
そして、一対の第１ボス１５の中心Ｃ１５（図３（Ａ）参照）間の距離Ｌ１５は、一対の第１嵌合穴２５の中心Ｃ２５（図４（Ａ）参照）間の距離Ｌ２５よりも第１ボス１５と第１嵌合穴２５が嵌合できる範囲で長くしてもよい。これにより、一対の第１ボス１５のそれぞれが一対の第１嵌合穴２５のそれぞれに嵌合する際に、一対の第１ボス１５間の距離が小さくなるように作用し、一対の第１ボス１５間に形成されている第１スリット１４を確実に閉じることができる。
【００２３】
また、一対の第２ボス２４の中心Ｃ２４（図４（Ａ）参照）間の距離Ｌ２４は、一対の第２嵌合穴１６の中心Ｃ１６（図３（Ａ）参照）間の距離Ｌ１６よりも第２ボス２４と第２嵌合穴１６が嵌合できる範囲で長くしてもよい。このため、一対の第２ボス２４のそれぞれが一対の第２嵌合穴１６のそれぞれに嵌合する際に、一対の第２ボス２４間の距離が小さくなるように作用し、一対の第２ボス２４間に形成されている第２スリット２３を確実に閉じることができる。
【００２４】
なお、図５（Ａ）に示すように、一対の第１ボス１５は、閉塞部１２に形成された根元部間の間隔に比較して先端間の間隔が広くなるように傾斜していてもよい。つまり、一対の第１ボス１５の中心線ＣＬ１５間の幅が先端に向けて広がるように、一対の第１ボス１５を形成してもよい。この場合、一対の第１ボス１５のそれぞれが一対の第１嵌合穴２５のそれぞれに嵌合する際に、一対の第１ボス１５間の距離がより小さくなるように作用し、一対の第１ボス１５間に形成されている第１スリット１４を確実に閉じることができる。
【００２５】
また、図５（Ｂ）に示すように、一対の第２ボス２４も、第２本体部２１に形成された根元部間の間隔に比較して先端間の間隔が広くなるようにかに傾斜していてもよい。つまり、一対の第２ボス２４の中心線ＣＬ２４間の幅が先端に向けて広がるように、一対の第２ボス２４を第２本体部２１に形成してもよい。この場合、一対の第２ボス２４のそれぞれが一対の第２嵌合穴１６のそれぞれに嵌合する際に、一対の第２ボス２４間の距離がより小さくなるように作用し、一対の第２ボス２４間に形成されている第２スリット２３を確実に閉じることができる。
【００２６】
次に、図６及び図１を参照して、前述したグロメット１によって隔壁３０の開口部３１に挿通されるケーブル４０を隔壁３０に支持する方法を説明する。
【００２７】
先ず、図６に示すように、両端に第１コネクタ４２及び第２コネクタ４３を接続したケーブル４０を隔壁の開口部３１に挿通した状態にする。
【００２８】
次に、隔壁３０の一方側である外部側において、第１グロメット部１０の閉塞部１２を開口部３１側（隔壁３０側）とした状態で第１スリット１４を広げ、この広げられた第１スリット１４を介して第１本体部１１の外周面側から第１貫通孔１３内にケーブル４０を挿入することで、ケーブル４０を第１貫通孔１３内に挿通させる。
【００２９】
次いで、隔壁３０の内部側において、第２グロメット部２０を第２ボス２４を隔壁３０側とした状態で第２スリット２３を広げて第２貫通孔２２を開き、この広げられた第２スリット２３を介して第２本体部２１の外周面側から第２貫通孔２２内にケーブル４０を挿入することで、ケーブル４０を第２貫通孔２２内に挿通させる。
【００３０】
その後、第１グロメット部１０及び第２グロメット部２０のそれぞれを隔壁３０側に向けて、即ち図６における矢印で示した方向に移動し、第１グロメット部１０の閉塞部１２を隔壁３０の開口部３１に嵌め込み開口部３１を閉塞するとともに、第２グロメット部２０の第２ボス２４を第１グロメット部１０の第２嵌合穴１６に貫通するように嵌合して抜け止め部２４ａを第１グロメット部１０に係合し、第２グロメット部２０の第１嵌合穴２５に第１グロメット部１０の第１ボス１５を貫通するように嵌合して抜け止め部１５ａを第２グロメット部２０に係合する。
【００３１】
これにより、図１に示すように、第１グロメット部１０及び第２グロメット部２０が接続されてグロメット１によって隔壁３０の開口部３１に挿通されるケーブル４０を隔壁３０に支持することができる。
【００３２】
グロメット１によってケーブル４０を隔壁３０に支持しているときには、閉塞部１２によって開口部３１が閉塞されるとともに、第１グロメット部１０の第１本体部１１によって隔壁３０の開口部３１の一方側である外部側を覆い、第２グロメット部２０の第２本体部２１によって隔壁３０の開口部３１の他方側である内部側を覆う。これにより、隔壁３０の外部側から内部側への防水機能及び防塵機能を発揮することができる。
【００３３】
また、第１グロメット部の第１スリット１４は、閉塞部１２が開口部３１に嵌合したことによって閉じるとともに一対の第１ボス１５が一対の第１嵌合穴２５に嵌合することによっても閉じる。また、第２グロメット部２０の第２スリット２３は、一対の第２ボスが２４が一対の第２嵌合穴１６に嵌合することによって閉じる。これにより、隔壁３０の外部側から内部側への防水機能及び防塵機能をさらに発揮することができる。
【００３４】
更に、グロメット１によってケーブル４０を隔壁３０に支持した状態では、第１グロメット部１０及び第２グロメット部２０が接続された状態となり、第１スリット１４と第２スリット２３のなす角がケーブル４０の挿通方向からみて１８０°となり重ならない様になっている。
【００３５】
このため、隔壁３０の外部側から第１スリット１４を通して水滴等が侵入したとしても、第２グロメット部２０により内部側への侵入が阻止される。これにより、グロメット１は隔壁３０の外部側から内部側への防水機能及び防塵機能を十分に発揮することができる。
【００３６】
また、一対の第１ボス１５は、第１グロメット部１０の第１貫通孔１３に対して第１スリット１４が形成された側に設けられ、一対の第１嵌合穴２５は、第２グロメット部２０の第２貫通孔２２に対して第２スリット２３が形成された側と反対側に設けられ、一対の第２ボス２４は、第２グロメット部２０の第２貫通孔２２に対して一対の第１嵌合穴２５が設けられた側と反対側に設けられ、一対の第２嵌合穴１６は、第１グロメット部１０の第１貫通孔１３に対して一対の第１ボス１５が設けられた側と反対側に設けられている。このため、第１グロメット部１０と第２グロメット部２０とを接続する際に、誤って第１スリット１４及び第２スリット２３がケーブル４０の挿通方向から見て重なるようになることを回避することができる。
【００３７】
また、一対の第１ボス１５は、第１スリット１４を挟む位置に設けられ、一対の第１嵌合穴２５は、第２グロメット部２０の第２本体部２１において第２貫通孔２２に対して第２スリット２３が形成された側と反対側に設けられ、一対の第２ボス２４は、第２グロメット部２０の第２本体部２１において第２スリット２３を挟む位置に設けられ、一対の第２嵌合穴２６は、第１貫通孔１３に対して第１スリット１４が設けられた側と反対側に設けられている。このため、一対の第１嵌合穴２５を第１スリット１４を挟む位置に設け、一対の第２嵌合穴１６を第２スリット２３を挟む位置に設ける場合よりも、一対の第１ボス１５を一対の第１嵌合穴２５に嵌合し、一対の第２ボス２４を一対の第２嵌合穴１６に嵌合することにより、第１スリット１４及び第２スリット２３のそれぞれを確実に閉じることができる。
【００３８】
また、一対の第１嵌合穴２５のそれぞれは、第２グロメット部２０の第２本体部２１を貫通するように形成されるとともに、一対の第１ボス１５のそれぞれの先端に各第１ボス１５の各第１嵌合穴２５に対する抜け止め部１５ａを設けている。また、一対の第２嵌合穴１６のそれぞれは、第１グロメット部１０の閉塞部１２及び第１本体部１１を貫通するように形成されるとともに、一対の第２ボス２４のそれぞれの先端に各第２ボス２４の各第２嵌合穴１６に対する抜け止め部２４ａを設けている。このため、一対の第１ボス１５のそれぞれが一対の第１嵌合穴２５のそれぞれに貫通するように嵌合された時に、各抜け止め部１５ａにより、各第１ボス１５の各第１嵌合穴２５に対する抜け止めがなされる。また、一対の第２ボス２４のそれぞれが一対の第２嵌合穴１６のそれぞれに貫通するように嵌合された時に、各抜け止め部２４ａにより、各第２ボス２４の各第２嵌合穴１６に対する抜け止めがなされる。
【００３９】
以上、本発明の実施形態について説明してきたが、本発明はこれに限定されずに種々の変更、改良を行うことができる。
【００４０】
また、線材としてのケーブル４０は、一端側の第１コネクタ４２によって車載カメラ側に接続されるとともに、他端側の第２コネクタ４３によってカーナビゲーション側に接続されているが、線材によって接続される対象は車載カメラやカーナビゲーションに限られず、他の任意の電気部品を適用し得る。
【００４１】
また、一対の第１ボス１５は、第１グロメット部１０において、第１スリット１４を挟む位置に形成され、一対の第１嵌合穴２５は、第２グロメット部２０に形成されているが、一対の第１嵌合穴２５が、第１グロメット部１０において、第１スリット１４を挟む位置に形成され、一対の第１ボス１５が、第２グロメット部２０に形成されてもよい。この場合でも、一対の第１ボス１５が一対の第１嵌合穴２５に嵌合することにより、第１グロメット部１０及び第２グロメット部２０が接続されるとともに、第１スリット１４が閉じられる。
【００４２】
また、一対の第２ボス２４は、第２グロメット部２０において、第２スリット２３を挟む位置に形成され、一対の第２嵌合穴１６は、第１グロメット部１０に形成されているが、一対の第２嵌合穴１６が、第２グロメット部２０において、第２スリット２３を挟む位置に形成され、一対の第２ボス２４が、第１グロメット部１０に形成されてもよい。この場合でも、一対の第２ボス２４が一対の第２嵌合穴１６に嵌合することにより、第１グロメット部１０及び第２グロメット部２０が接続されるとともに、第２スリット２３が閉じられる。
【００４３】
ここで、組み合わせによっては、一対の第１ボス１５及び一対の第２ボス２４の双方が、第１グロメット部１０のみに形成されたり、第２グロメット部２０のみに形成されたりする場合がある。この場合、一対の第１ボス１５の中心Ｃ１５間の距離Ｌ１５と一対の第２ボス２４の中心Ｃ２４間の距離Ｌ２４とを異なる距離として誤組付けを防止することが好ましい。なお、第１グロメット部１０の閉塞部１２に、一対の第１ボス１５及び一対の第２ボス２４を設ける場合には、ボスの長さが短くなるので、第１グロメット部１０と第２グロメット部２０との接続が容易となる。
【００４４】
また、第１グロメット部１０に形成された第１スリット１４と第２グロメット部２０に形成された第２スリット２３とは、第１グロメット部１０及び第２グロメット部２０を接続した状態のとき、ケーブル４０の挿通方向から見て、互いのなす角が１８０°とするのが好適ではあるが、本発明はこれに限らず、第１グロメット部１０と第２グロメット部２０を接続した状態で、第１スリット１４と第２スリット２３は、ケーブル４０の挿通方向から見て重なり合わない任意の角度としてもよい。外部側から第１スリット１４を通過した水滴等は第２グロメット２０で阻止され内部側に侵入することを阻止する効果は保たれる。
【００４５】
また、第１グロメット部１０の第１本体部１１の直径は第２グロメット部２０の第２本体部２１の直径よりも大きくなっているが、第２本体部２１の直径と同じであっても小さくてもよい。但し、第１本体部１１の直径及び第２本体部２１の直径は、隔壁３０の開口部３１の直径よりも大きい必要がある。
【００４６】
また、第１グロメット部１０と第２グロメット部２０とを接続するために、第１グロメット部１０に設けられる第１ボス１５は、一対でなくて、１個あるいは３個以上でもよく、また、第１ボス１５を設置する位置も第１スリット１４を挟む位置でなくてもよい。このとき、第２グロメット部２０に設けられる第１嵌合穴２５は、第１ボス１５の個数と位置に対応し設けられればよい。
また、第１グロメット部１０と第２グロメット部２０とを接続するために、第１グロメット部１０に第１嵌合穴２５を設け、第２グロメット部２０に第１嵌合穴２５に嵌合する第１ボス１５を設けてもよい。この場合、第１嵌合穴２５は、一対でなくて、１個あるいは３個以上でもよく、また、第１嵌合穴２５を設置する位置も第１スリット１４を挟む位置でなくてもよい。このとき、第２グロメット部２０に設けられる第１ボス１５は、第１嵌合穴２５の個数と位置に対応し設けられればよい。
【００４７】
また、第１グロメット部１０と第２グロメット部２０とを接続するために、第２グロメット部２０に設けられる第２ボス２４は、一対でなくて、１個あるいは３個以上でもよく、また、第２ボス２４を設置する位置も第２スリット２３を挟む位置でなくてもよい。
このとき、第１グロメット部１０に設けられる第２嵌合穴１６は、第２ボス２４の個数と位置に対応し設けられればよい。
また、第１グロメット部１０と第２グロメット部２０とを接続するために、第２グロメット部２０に第２嵌合穴１６を設け、第１グロメット部１０に第２嵌合穴１６に嵌合する第２ボス２４を設けてもよい。この場合、第２嵌合穴１６は、一対でなくて、１個あるいは３個以上でもよく、また、第２嵌合穴１６を設置する位置も第２スリット２３を挟む位置でなくてもよい。このとき、第１グロメット部１０に設けられる第２ボス２４は、第２嵌合穴１６の個数と位置に対応し設けられればよい。
【００４８】
また、閉塞部１２は、第１グロメット部１０に設けられているが、第２グロメット部２０に設けてもよい。
【符号の説明】
【００４９】
１  グロメット
１０  第１グロメット部
１１  第１本体部
１２  閉塞部
１３  第１貫通孔
１４  第１スリット
１５  第１ボス
１５ａ  抜け止め部
１６  第２嵌合穴
２０  第２グロメット部
２１  第２本体部
２２  第２貫通孔
２３  第２スリット
２４  第２ボス
２４ａ  抜け止め部
２５  第１嵌合穴
３０  隔壁
３１  開口部
４０  ケーブル（線状部材）
４１  電線
４２  第１コネクタ
４３  第２コネクタ
Ｃ１５  第１ボスの中心
Ｃ１６  第２嵌合穴の中心
Ｃ２４  第２ボスの中心
Ｃ２５  第１嵌合穴の中心
【図１】
2018107093.tif 000003
【図２】
2018107093.tif 000004
【図３】
2018107093.tif 000005
【図４】
2018107093.tif 000006
【図５】
2018107093.tif 000007
【図６】
2018107093.tif 000008